(57)【特許請求の範囲】
【請求項１】
回転部と一緒に回転する駆動カムと、リフィールに連結されたスライド駒との協働により、前記リフィールの先端を出没させる筆記具において、
前記駆動カムのカム本体部の先端側には、前記スライド駒に設けられた従動部の尖端が入り込んで前記従動部を係止させる窪み部が形成され、前記カム本体部の表面側には、前記回転部に設けられた凹部内に挿入される係止凸部が形成され、前記係止凸部は、前記窪み部まで延在していることを特徴とする筆記具。
【請求項２】
前記窪み部は、前記窪み部の両側面と前記係止凸部の裏面とで断面コ字状に形成されていることを特徴とする請求項１記載の筆記具。
【請求項３】
前記回転部の前記凹部は、前記回転部の軸線方向に延在し、前記係止凸部は、前記軸線方向に延在して、前記凹部内で軸線方向に移動することを特徴とする請求項１又は２に記載の筆記具。
【発明の詳細な説明】
【技術分野】
【０００１】
本発明は、駆動カムの回転によりリフィールの先端を出没させる筆記具に関するものである。
【背景技術】
【０００２】
従来、このような分野の技術として、実公平６−１５７４８号公報がある。この公報に記載された筆記具は、回転式多芯筆記具であり、前軸に対してキャップ(回転部)を回転させることによって、前軸の先端からリフィールを選択的に出没させている。キャップ内には円筒カム(駆動カム)が装填され、円筒カムに形成された回転止リブが、キャップの内壁面に形成された溝内に入り込んでいるので、円筒カムとキャップとを一緒に回転させることができる。そして、円筒カムの山形の傾斜カム面の先端に形成された切欠部(窪み部)内に摺動コマの尖端が入り込むことにより、前軸の先端からリフィールを突出させた状態を維持させることができる。この状態からキャップと一緒に円筒カムを回転させることで、円筒カムの切欠部から摺動コマの尖端が外れ、前軸内にリフィールの先端を引き戻すことができる。
【０００３】
【特許文献１】実公平６−１５７４８号公報
【発明の開示】
【発明が解決しようとする課題】
【０００４】
従来の筆記具にあっては、キャップ(回転部)に対する回り止めを可能にしている回転止めリブは、円筒カムの中央付近に形成されているので、キャップと円筒カムとの連結を図っている回転止めリブと、リフィールの突出時において摺動コマと円筒カムとの連結を図っている切欠部との距離が大きく離れている。したがって、キャップの回転力を円筒カムに効率よく伝達することができない。このように、力の伝達が確実に行われないと、例えば、筒カム(駆動カム)の傾斜カム面に沿って摺動コマが移動する際に、摺動コマが円筒カムの先端に近づくにつれて、スプリングの弾性力により円筒カムに必要な回転力が増大し、利用者がキャップの回転操作を重く感じてしまう。このような現象を低減させるために、キャップ(回転部)や円筒カムを大型化して回転トルクを大きくする方策もあるが、現実的には、筆記具という特性上、寸法的な制約によってキャップや円筒カムを無闇に大型化することは非常に難しい。
【０００５】
本発明は、回転部の回転力を駆動カムに効率よく伝達させるようにした筆記具を提供することを目的とする。
【課題を解決するための手段】
【０００６】
本発明に係る筆記具は、回転部と一緒に回転する駆動カムと、リフィールに連結されたスライド駒との協働により、リフィールの先端を出没させる筆記具において、
駆動カムのカム本体部の先端側には、スライド駒に設けられた従動部の尖端が入り込んで従動部を係止させる窪み部が形成され、カム本体部の表面側には、回転部に設けられた凹部内に挿入される係止凸部が形成され、係止凸部は、窪み部まで延在していることを特徴とする。
【０００７】
本発明に係る筆記具において、回転部の凹部内に駆動カムの係止凸部が挿入されることにより、回転部の回転と一緒に駆動カムを回転させることができる。さらに、カム本体部に係止凸部が形成されているので、回転部の回転力を駆動カムに効率よく伝達させることができる。このようして、力の伝達が確実に行われると、例えば、駆動カムの傾斜カム面に沿ってスライド駒が移動する際に、スライド駒が駆動カムの先端に近づくにつれて、スプリングの弾性力により円筒カムに必要な回転力が増大しても、回転部の軽快な操作感が得られ、さらには、回転部や円筒カムの小型化も可能になる。
【０００８】
更に、係止凸部は、窪み部まで延在している。
このような構成によって、窪み部の場所でも回転力を駆動カムに伝達させているので、駆動カムの窪み部からスライド駒の尖端を脱出させる際に最も大きな力を必要とする駆動カムの先端に、回転部の回転力を確実に伝達することできる。従って、駆動カムの窪み部内にスライド駒の従動部の尖端が入る時と、駆動カムの窪み部からスライド駒の従動部の尖端を脱出させる時との力の差を可能な限り小さくするこができ、軽快な操作感が得られるといった優れた効果を有する。
【０００９】
また、窪み部は、窪み部の両側面と係止凸部の裏面とで断面コ字状に形成されていると好適である。
駆動カムの肉厚を厚くすると、窪み部の大型化や窪み部の断面コ字状化を可能にするが、駆動カムの軽量化や小型化が図れない。これに対して、本発明では、駆動カムの肉厚を薄くしつつ窪み部を大きくすることができ、係止凸部によって駆動カムの先端の強度アップが図られ、窪み部の変形や破損の防止も可能になっている。さらには、駆動カムの軽量化や小型化に有利である。
【００１０】
また、回転部の凹部は、回転部の軸線方向に延在し、係止凸部は、軸線方向に延在して、凹部内で軸線方向に移動すると好適である。
係止凸部を軸線方向に延在させることで、係止凸部を大型化させることができ、回転部の回転力を更に効率良く駆動カムに伝達させることができ、駆動カムの強度アップも図られている。さらに、係止凸部が回転部の凹部内で移動可能であるため、駆動カムを軸線方向に移動させることができ、シャープペンシル型リフィールの適用が可能になる。
【発明の効果】
【００１１】
本発明によれば、回転部の回転力を駆動カムに効率よく伝達させることができる。
【発明を実施するための最良の形態】
【００１２】
以下、図面を参照しつつ本発明に係る筆記具の好適な実施形態について詳細に説明する。なお、ペン先側を「前方側」として以下説明する。
【００１３】
図１に示すように、回転式多芯筆記具１は、前軸２ａと後軸(回転部)２ｂとからなる軸筒２を有し、前軸２ａには、表面をメッキ処理した略円錐状の先口部材１９が装着され、後軸２ｂにはクリップ２ｃが一体に形成され、前軸２ａと後軸２ｂとは相対的に回転する。さらに、軸筒２の前軸２ａの外周には、弾性体からなる筒状のグリップ部３が装着されている。このグリップ部３は、弾性変形し易い軟質材(例えば熱可塑性エラストマー(ＴＰＥ))からなり、二色成形によって、前軸２ａとグリップ部３は一体的に形成されている。
【００１４】
軸筒２内には、２本のボールペン型リフィール（例えば、赤、黒のインクが入ったリフィール）４ａとシャープペンシル型リフィール４ｂとが収容されている。各リフィール４ａ，４ｂは、軸筒２内に収容された中駒６によって支持され、この中駒６は、前軸２ａに対して回転しないように連結されると共に、後軸２ｂに対して回転するように連結されている。
【００１５】
さらに、中駒６には、後述するリフィール装着部１４が差し込まれる３個の挿入孔６ａと、各挿入孔６ａから後方に向かって軸線Ｌ方向に延在するガイド溝６ｂとが形成されている。各ガイド溝６ｂ内では、リフィール装着部１４の後端に固定されたスライド駒７が摺動する。そして、各ガイド溝６ｂ内には、リフィール装着部１４に巻回された圧縮バネ８が装填され、圧縮バネ８の一端は中駒６によって支持され、圧縮バネ８の他端はスライド駒７によって支持されている。
【００１６】
さらに、図２〜図５に示すように、中駒６の後端に設けられた支軸部６ｃによって、筒状の駆動カム９が回転自在に支持されている。支軸部６ｃを中心に後軸(回転部)２ｂと一緒に回転する駆動カム９は、内側で支軸部６ｃに回転自在に連結される円筒状の基部１０と、この基部１０の後端から突出して消しゴム１３が装填されると共に、キャップ５を保持する消しゴム収容部１１と、基部１０の前端から軸筒２の先端側に向けて突出するカム本体部１２とからなる。このカム本体部１２は、基部１０の端から爪状に突出すると共に、円筒を斜めに切断した形状をなし、カム本体部１２の輪郭に沿って山形の傾斜カム面１２ａが形成されている。
【００１７】
これに対して、圧縮バネ８の付勢力によって駆動カム９の従動部材として機能する各スライド駒７は、ガイド溝６ｂ内を摺動する摺動部１５と、摺動部１５から突出すると共に、リフィール４ａ，４ｂの後部が着脱自在に装着されるパイプ状のリフィール装着部１４の後端内に挿入されてリフィール装着部１４を保持し、リフィール装着部１４を介してスライド駒７をリフィール４ａ，４ｂの後端側に連結させるための差込みピン１６と、摺動部１５に一体に形成されると共に、三角形状をなす従動部１７とからなる。
【００１８】
従動部１７には、カム本体部１２の傾斜カム面１２ａに沿って摺動するＶ字状の従動面１７ａが形成され、三角形状のカム本体部１２の先端には、従動部１７の尖端１７ｂが入り込んで従動部１７を係止させるための窪み部３０が形成されている。従って、後軸２ｂと一緒に駆動カム９が回転すると、カム本体部１２の窪み部３０内にスライド駒７の従動部１７の尖端１７ｂの何れかが選択的に入り込むので、後軸２ｂの回転によって、リフィール４ａ，４ｂの先端の何れかを軸筒２の先端から突出させることができる。
【００１９】
このように後軸２ｂを回転させると、図７に示すように、駆動カム９の傾斜カム面１２ａに沿って従動部１７のＶ字状の従動面１７ａが摺動する。このとき、駆動カム９の窪み部３０から従動部１７の尖端１７ｂを脱出させる際には、駆動カム９の回転力はかなり大きな力を必要とする。
【００２０】
そこで、図２〜図６に示すように、駆動カム９の略三角形状のカム本体部１２の表面には、カム本体部１２の頂部から軸線Ｌ方向に延在する係止凸部２０が形成され、この係止凸部２０は、後軸(回転部)２ｂの内壁面に形成された凹部２１内に挿入される。このように、後軸２ｂに設けられた凹部２１内に挿入される係止凸部２０は、窪み部３０まで延在しているので、窪み部３０の場所でも回転力を駆動カム９に伝達させることができ、駆動カム９の窪み部３０からスライド駒７の尖端１７ｂを脱出させる際に最も大きな力を必要とする駆動カム９の先端に、後軸２ｂの回転力を確実に伝達することできる。従って、図７に示すように、駆動カム９の窪み部３０内にスライド駒７の従動部１７の尖端１７ｂが入る時と、駆動カム９の窪み部３０からスライド駒７の従動部１７の尖端１７ｂを脱出させる時との力の差を可能な限り小さくすることができ、軽快な操作感が得られるといった優れた効果を有する。
【００２１】
図７に示すように、駆動カム９の傾斜カム面１２ａに沿ってスライド駒７を窪み部３０に向けて移動させるときは、圧縮バネ８の弾性力により、後軸２ｂの回転に必要な力は徐々に増加していくが、後軸２ｂは勢いに乗って回転させることができる。また、窪み部３０からスライド駒７の尖端１７ｂを脱出させる際には、いきなり大きな回転力が必要になるため、後軸２ｂの回転操作を重く感じてしまうことがある。そして、駆動カム９の先端付近からリフィール４ａ，４ｂの繰り出し操作を行おうとして、力を強く入れすぎると、スライド駒７の尖端１７ｂが窪み部３０を飛び越えてしまうことがある。
【００２２】
そこで、本発明の筆記具１では、カム本体部１２の表面側に形成された係止凸部２０によって、後軸２ｂの回転力を駆動カム９に効率よく伝達させることができるので、後軸２ｂの軽快な操作感やスライド駒７の確実な停止が可能になる。特に、係止凸部２０を窪み部３０まで延在させると、後軸２ｂの回転力を駆動カム９に最も効率よく伝達させることができる。
【００２３】
さらに、従来にあっては、駆動カムの肉厚を厚くすると、窪み部の大型化や窪み部の断面コ字状化を可能にするが、駆動カムの軽量化や小型化が図れない。そこで、図６に示すように、窪み部３０は、これの両側面３０ａと係止凸部２０の裏面２０ａとで断面コ字状に形成されている。よって、本実施形態では、駆動カム９の肉厚を薄くしつつ窪み部３０を大きくすることができ、係止凸部２０によって駆動カム９の先端の強度アップが図られ、窪み部３０の変形や破損の防止も可能になっている。さらには、駆動カム９の軽量化や小型化に有利である。
【００２４】
図１及び図６に示すように、後軸２ｂの凹部２１は、軸線Ｌ方向に延在し、係止凸部２０は、軸線Ｌ方向に延在すると共に、凹部２１内で軸線Ｌ方向に移動可能である。このように、係止凸部２０を軸線Ｌ方向に延在させることで、係止凸部２０を大型化させることができ、後軸２ｂの回転力を更に効率良く駆動カム９に伝達させることができ、駆動カム９の強度アップも図られている。さらに、係止凸部２０が後軸２ｂの凹部２１内で軸線Ｌ方向に移動可能であるので、シャープペンシル型リフィール４ｂの先端を軸筒２から突出させた状態で、芯を繰り出すためにキャップ５をノックすると、駆動カム９も一緒に軸線Ｌ方向に移動させることができる。
【００２５】
本発明は、前述した実施形態に限定されないことは言うまでもない。例えば、本発明は、単芯であっても多芯であっても適用可能である。
【図面の簡単な説明】
【００２６】
【図１】本発明に係る筆記具の一実施形態を示す断面図である。
【図２】本発明に係る筆記具に適用する駆動カム及びスライド駒を示す斜視図である。
【図３】図２の側面図である。
【図４】図３の断面図である。
【図５】図２の平面図である。
【図６】図５のＶＩ−ＶＩ線に沿う断面図である。
【図７】駆動カムの傾斜カム面に沿ってスライダ駒が摺動する様子を示す概略図である。
【符号の説明】
【００２７】
１…筆記具、２…軸筒、２ａ…前軸、２ｂ…後軸(回転部)、４ａ，４ｂ…リフィール、７…スライド駒、９…駆動カム、１２…カム本体部、１７…従動部、１７ａ…従動面、１７ｂ…従動部の尖端、２０…係止凸部、２０ａ…係止凸部の裏面、２１…凹部、３０…窪み部、３０ａ…窪み部の側面、Ｌ…軸線。
【図１】
0005234917.tif 000002
【図２】
0005234917.tif 000003
【図３】
0005234917.tif 000004
【図４】
0005234917.tif 000005
【図５】
0005234917.tif 000006
【図６】
0005234917.tif 000007
【図７】
0005234917.tif 000008